(57)【要約】【課題】  本発明によれば、同時記録中、少なくとも１つの記録媒体への映像記録が終了した時に他の記録媒体へ継続して映像を記録する場合、２重化に失敗した映像を特定することは難しく、バックアップ作業が煩わしい。【解決手段】  上記目的を達成するために、本発明の撮像装置は、撮像手段により撮影を行っている間に、第１の記録媒体と第２の記録媒体とのそれぞれに同一の動画像データを記録する記録制御手段であって、撮影を行っている間に、第１の記録媒体への動画像データの記録が停止した場合に、停止の後も撮影を継続し、得られた継続動画像データを第２の記録媒体に記録する記録制御手段と、停止の後に得られた継続動画像データには、停止までに記録していた動画像データとは異なる識別情報を付与する識別情報設定手段とを有することを特徴とする。【選択図】  図１
2014110508.tif 000002
【特許請求の範囲】
【請求項１】
複数の記録媒体を装着可能な撮像装置であって、
撮像手段と、
前記撮像手段により撮影を行っている間に、第１の記録媒体と第２の記録媒体とのそれぞれに同一の動画像データを記録する記録制御手段であって、前記撮影を行っている間に、前記第１の記録媒体への動画像データの記録が停止した場合に、停止の後も撮影を継続し、得られた継続動画像データを前記第２の記録媒体に記録する記録制御手段と、
前記停止の後に得られた前記継続動画像データには、前記停止までに記録していた動画像データとは異なる識別情報を付与する識別情報設定手段とを有することを特徴とする撮像装置。
【請求項２】
前記記録の停止までに、前記第１の記録媒体と前記第２の記録媒体とに記録していた動画像データには、それぞれ同一の識別情報を設定することを特徴とする請求項１に記載の撮像装置。
【請求項３】
前記識別情報設定手段により設定される情報は、動画像のストリームファイル、管理ファイルの少なくともいずれか一方に記録することを特徴とする請求項１または２に記載の撮像装置。
【請求項４】
前記記録制御手段は、前記停止までに前記第１の記録媒体と前記第２の記録媒体とに記録していた動画像データをそれぞれ動画ファイルとして記録し、前記継続動画像データも、別個の動画像ファイルとして記録することを特徴とする請求項１〜３のいずれか１項に記載の撮像装置。
【請求項５】
前記記録制御手段は、前記同時記録処理を行っている間に、前記第１の記録媒体の残容量が所定以下となった場合、または前記第１の記録媒体に対する動画データの記録エラーが発生した場合に、前記第１の記録媒体への動画像データの記録を停止するとともに、前記停止の後も撮影を継続し、得られた継続動画像データを前記第２の記録媒体に記録することを特徴とする請求項１〜４のいずれか１項に記載の撮像装置。
【請求項６】
さらに、前記第１の記録媒体への記録が停止する場合に、前記第２の記録媒体への記録を終了するか否かをユーザに選択させるための画面を表示部に表示する表示制御手段を有することを特徴とする請求項１〜５のいずれか１項に記載の撮像装置。
【請求項７】
前記記録制御手段は、前記継続動画像データに対し、前記同時記録処理が停止した旨を示す情報を記録することを特徴とする請求項１〜６のいずれか１項に記載の撮像装置。
【請求項８】
前記記録制御手段は、前記停止の前に記録していた動画像データと、前記継続動画像データとを紐づける情報を、前記停止の前に記録していた動画像データと前記継続動画像データとの少なくとも一方に記録することを特徴とする請求項１〜７のいずれか１項に記載の撮像装置。
【請求項９】
前記第１の記録媒体が前記継続動画像データを記録できる空き容量を備える第３の記録媒体へ交換された場合に、前記第２の記録媒体に記録されている前記継続動画像データを、前記第３の記録媒体にコピーすることを特徴とする請求項１〜８のいずれか１項に記載の撮像装置。
【請求項１０】
前記第１の記録媒体が、前記停止の前に記録されていた動画像データと、前記継続動画像データとの両方を記録出来る空き容量を備える第４の記録媒体へ交換された場合に、前記第２の記録媒体に記録されている前記停止の前に記録されていた動画像データと前記継続動画像データとの両方を、前記第４の記録媒体にコピーすることを特徴とする請求項１〜９のいずれか１項に記載の撮像装置。
【請求項１１】
撮像手段を有し、複数の記録媒体を装着可能な撮像装置の制御方法であって、
前記撮像手段により撮影を行っている間に、第１の記録媒体と第２の記録媒体とのそれぞれに同一の動画像データを記録する記録制御工程であって、前記撮影を行っている間に、前記第１の記録媒体への動画像データの記録が停止した場合に、停止の後も撮影を継続し、得られた継続動画像データを前記第２の記録媒体に記録する記録制御工程と、
前記停止の後に得られた前記継続動画像データには、前記停止までに記録していた動画像データとは異なる識別情報を付与する識別情報設定工程とを有することを特徴とする撮像装置の制御方法。
【発明の詳細な説明】
【技術分野】
【０００１】
本発明は、ビデオカメラなどの撮像装置及び撮像装置の制御方法に関し、特に複数の記録媒体に、同一内容の映像を同時に記録できる機能に関するものである。
【背景技術】
【０００２】
近年、業務用カメラには、２枚のメモリカードに、同一内容の映像を同時に記録できる機能（以下、同時記録）を持つものがある。
【０００３】
例えば、テレビ番組の収録など業務用途で行われる撮影では、記録する映像を確実に残すための高い信頼性が求められる。そこで、上記同時記録機能を有するカメラを用いれば、１つの映像データの記録とともにそのバックアップを同時に作成することができるため、記録媒体の破損といった万が一のトラブルに備えた対策ができる。
【０００４】
同時記録する機器に関しては、例えば特許文献１では、１つの撮像で得られる画像データを複数の記録媒体に対して記録し、複数の記録媒体の少なくとも一方の空き容量が所定値に満たない場合に、以後の撮影動作を禁止する方法が提案されている。
【先行技術文献】
【特許文献】
【０００５】
【特許文献１】特開２００５−３５４６２３号公報
【発明の概要】
【発明が解決しようとする課題】
【０００６】
特許文献１の方法では、一方の記録媒体の空き容量が不足して撮影動作を禁止した場合、仮に撮影動作を禁止した後に重要なシーンが存在していても、そのシーンを撮り損ねてしまう可能性がある。
【０００７】
そこで、そのような重要なシーンを撮影するための方法として、空き容量に余裕がある記録媒体に対しては、撮影による記録を継続することが考えられる。
【０００８】
ところが、一方の記録媒体のみに記録を継続した場合、その区間の映像に対してはデータの２重化ができていない。そこで、ユーザは、撮影後にその映像をコピーしてバックアップ作業を手動で行うことになる。しかしながら、多くの映像がメモリカードに記録されている場合に、その中から同時記録処理が中断したために２重化出来なかった映像を特定することは難しく、バックアップ作業に煩わしさがある。
【０００９】
上記の問題点を解決するため、同時記録中に、少なくとも１つの記録媒体への映像記録が終了した時にも撮影を継続した場合に、同時記録で２重化された動画像データと、撮影を継続して得られた動画像データとを区別して管理可能とする撮像装置を提供することを目的とする。
【課題を解決するための手段】
【００１０】
上記目的を達成するために、本発明の撮像装置は、撮像手段により撮影を行っている間に、第１の記録媒体と第２の記録媒体とのそれぞれに同一の動画像データを記録する記録制御手段であって、撮影を行っている間に、第１の記録媒体への動画像データの記録が停止した場合に、停止の後も撮影を継続し、得られた継続動画像データを第２の記録媒体に記録する記録制御手段と、停止の後に得られた継続動画像データには、停止までに記録していた動画像データとは異なる識別情報を付与する識別情報設定手段とを有することを特徴とする。
【発明の効果】
【００１１】
本発明によれば、同時記録処理の途中で、少なくとも１つの記録媒体への記録が停止した時に、撮影は継続して他の記録媒体へ継続動画像データを記録する場合、データの２重化ができていない継続動画像データを特定しやすくすることが出来る。また、継続動画像データのコピーとバックアップも容易に行うことができる。
【図面の簡単な説明】
【００１２】
【図１】撮像装置１００のブロック構成および撮影映像のデータ構成を示す図
【図２】撮像装置１００の動作概要を示すフローチャート
【図３】同時記録設定ではない場合の記録媒体への映像記録動作を示すフローチャート
【図４】同時記録設定での記録媒体への映像記録動作を示すフローチャート
【図５】各記録媒体に映像を同時記録および記録継続した様子を説明するための概略図
【図６】記録媒体Ａと記録媒体Ｂに記録した映像データの情報を提示した画面
【図７】記録継続のための選択画面と、記録媒体の残容量表示を示す図
【図８】撮像装置１００のバックアップ動作を示すフローチャート
【図９】同時記録を再開し、映像Ｂ３を各記録媒体に記録した様子を示した概略図
【発明を実施するための形態】
【００１３】
（実施例１）
以下、添付図面に従って本発明に係る実施例１の実施形態の詳細について説明する。
【００１４】
実施例１では、同時記録中、少なくとも１つの記録媒体への映像記録が停止又は終了した時に他の記録媒体へ継続して映像を記録する場合、記録を継続して得られた映像に、特定の情報を追加し、バックアップ可能な映像に分割して記録する撮像装置の例を説明する。
【００１５】
図１は、本発明における撮像装置の構成例を示すブロック図である。以下、本発明の構成例について図１を参照して説明する。
【００１６】
＜装置説明＞
図１（ａ）は本発明の実施例における撮像装置１００の構成を示すブロック図である。図１（ａ）において、１０１は撮像装置１００全体の制御を司る制御部である。
【００１７】
制御部１０１は後述する各ユニットを制御して、ユーザの設定操作に応じて画像を処理する。また、後述する記録媒体へデータを記録する場合の記録制御も司り、後述するように、動画像データに付与する識別ＩＤを設定する。また、後述するプログラムに基づき撮像装置全体を制御する。また、表示部１０６に表示する内容を制御する表示制御部としても機能する。
【００１８】
１０２は光学レンズや撮像素子を備えた撮像部である。撮像部１０２では、ＣＣＤやＣＭＯＳ等の撮像素子により、光学レンズを経て導入された光（映像）を電気信号に変換する。また、撮像部１０２では、制御部１０１からの指示に従い、撮像素子の感度調整（ゲインコントロール）、シャッター時間に従った撮像素子からのデータの読み取り、絞りやシャッタースピードの変更による露出の制御等を行う。
【００１９】
１０３は、撮像装置１００を制御するプログラムとプログラムが使用するデータを格納するためのメモリである。撮像装置に電源が投入されると、制御部１０１はＲＯＭ１０３からプログラムを読み込み、撮像装置の制御を開始する。
【００２０】
１０４は、撮像装置１００を制御するプログラムが作業領域として使用するための書き換え可能なメモリである。ＲＡＭ１０４は、撮像部１０２の出力する画像データを一時的に保存するバッファとしても使用される。
【００２１】
１０５は、ユーザの指示を撮像装置１００に伝えるための操作部である。操作部１０５は、撮影ボタン、メニューボタン等を含む複数のボタン、ダイヤル、タッチパネルにより構成される。ユーザは操作部１０５を操作し、同時記録での撮影を行うか否かを設定することができる。
【００２２】
１０６は、制御部１０１からの指示に従い、映像を表示するための部である。表示部１０６は液晶表示装置（ＬＣＤ）のような薄型ディスプレイとそのディスプレイをコントロールするディスプレイドライバユニットで構成される。表示部１０６には、撮像装置１００の各種設定を行うためのメニューや、撮像部１０２が出力する映像のデータ（構図決定用のファインダとしての利用）画表示される。また、撮影した映像（撮影映像の確認としての利用）や、後述する記録媒体に格納された映像（ビューアとしての利用）が表示される。それぞれの映像には任意のグラフィクス画像を重畳して表示することが可能である。
【００２３】
１０９、１１０は、撮影した映像やその他のデータを保持するための記録媒体である（以下、記録媒体Ａ、記録媒体Ｂとする）。具体的にはＳＤメモリカード・コンパクトフラッシュ（登録商標）カード・メモリスティックなどのカード型で取り外し可能なメモリや、外付けのＨＤＤやソリッドステートドライブ等を利用可能である。外部ＩＦ１０７、１０８を介して撮像装置は、複数の記録媒体１０９、１１０を装着可能である。撮影した映像は、制御部１０１によりＭＰＥＧ２形式等にエンコードされ、映像ストリームファイルとして保存される。なお、動画像データの記録形式はこれに限らず、ＭＰＥＧ４やＡＶＣＨＤ等、他の形式でも構わない。
【００２４】
本実施例では、図１（ｂ）のように、映像ストリームファイルの生成と同時に、映像の記録期間やフレームレート、解像度等の映像に関する情報や、撮影者、撮影内容等のメタデータを記録する管理ファイルも生成し、上記２のファイルを１つの映像データとして扱う。なお、映像記録中に記録媒体の残容量が所定値以下になった場合、撮像装置１００は当該記録媒体に対する記録動作を停止するよう制御する。
【００２５】
制御部１０１〜外部ＩＦ１０８は、各要素間の制御信号やデータ信号のための伝送路である内部バス１１１と接続されている。
【００２６】
＜動作説明＞
撮像装置１００の動作に関して、図２のフローチャートに基づいて説明する。ここでは、撮像装置１００は、予めユーザにより、同一映像形式で同時記録撮影を行うよう設定されているものとする。なお、ここでの同時記録処理は、厳密に同じ時間に同一データが記録されることのみを表現しているのではなく、同一データを複数の記録媒体に順番に、分割的に記録するような場合も含む。
【００２７】
図２に関して、ステップＳ２０１では、撮像装置１００は、撮像部１０２において、光学レンズから入力された映像を撮像素子で電子データ化し、その電子データを制御部１０１に画像データとして出力する。
【００２８】
ステップＳ２０２では、制御部１０１はステップＳ２０１で取得した画像データを表示部１０６に構図決定用（プレビュー用）の映像として表示する。このとき、ステップＳ２０１で撮像部１０２から出力した画像データは、表示部１０６の解像度に調整して表示することになる。
【００２９】
ステップＳ２０３では、制御部１０１は、ユーザによる記録開始指示があるか否かを判定する。記録開始指示があった場合には、ステップＳ２０４へ、記録開始指示がない場合にはステップＳ２０１に戻り、構図決定用（プレビュー）の映像を更新する。
【００３０】
なお、ステップＳ２０３では、一度ステップＳ２０４に進んだのであれば、毎回、記録開始指示があったと判定され、ステップＳ２０４へ進む。
【００３１】
ステップＳ２０４では、制御部１０１は、撮像装置１００が同時記録撮影を行うよう設定されているかを判定する。設定されていれば、ステップＳ２０５へ、設定されていなければ、ステップＳ２０７へ進む。
【００３２】
ステップＳ２０５では、制御部１０１は、外部ＩＦ１０７を介して、画像データを記録媒体Ａに記録する。
【００３３】
ステップＳ２０６では、制御部１０１は、外部ＩＦ１０８を介して、ステップＳ２０５において記録媒体Ａへ保存した画像データと同一の画像データを、記録媒体Ｂへ記録する。同時記録設定での画像データの記録動作の詳細については後述する。
【００３４】
ステップＳ２０７では、外部ＩＦ１０７を介して、画像データを記録媒体Ａに記録する。ただし、動画像データの記録先は、カメラの設定に従えば良い。動画像データを記録媒体Ｂに記録するように設定されている時には、記録媒体Ｂに記録すればよい。同時記録設定ではない場合の記録動作の詳細については後述する。
【００３５】
ステップＳ２０８では、制御部１０１は、ユーザによる記録停止指示があったか否かを判定する。記録停止指示があった場合には、当該同時記録を終了する。記録停止指示がない場合にはステップＳ２０１に戻る。
【００３６】
次に、同時記録処理が設定されていない場合における、記録媒体Ａへの記録動作（ステップＳ２０７）の詳細に関して、図３のフローチャートに基づいて説明する。
【００３７】
ステップＳ３０１では、制御部１０１は、記録媒体Ａの残容量が所定値以下か否かを判定する。所定値以下であれば記録動作を終了し、所定値以下でなければステップＳ３０２へ進む。
【００３８】
ステップＳ３０２では、制御部１０１は、現在の記録動作が、記録開始時点のものであるか否かを判定する。現在の記録操作が記録開始時点のものであれば、ステップＳ３０３へ進み、そうでなければ、ステップＳ３０４へ進む。
【００３９】
ステップＳ３０３では、制御部１０１は、現在の記録動作で生成される映像データに対して付与する映像ＩＤを設定し、映像ストリームファイルのヘッダ部に記録する。
【００４０】
この映像ＩＤは、動画像データ（映像ストリームファイル）を、他の動画像データと区別することが可能な識別情報であり、本実施例ではファイル名とは異なる識別情報としている。映像記録開始時に、映像ＩＤを映像データに付与することで、その後の映像記録中に不測のエラーが発生して映像記録が中断された場合に、映像ＩＤが付与されていない映像が生成される事態を防止することができる。なお、同時記録処理で複数の記録媒体に記録された同一の動画像ファイルには、同一の識別ＩＤ（識別情報）を記録するようにしている。
【００４１】
ステップＳ３０４では、制御部１０１は、撮像部から出力された画像データをＭＰＥＧ２等、所定の圧縮方式でエンコードする。
【００４２】
ステップＳ３０５では、制御部１０１は、ステップＳ３０４においてエンコードした画像データを、所定の保存ルールに従って記録媒体Ａに記録する映像ストリームファイル中に保存する。
【００４３】
次に、同時記録設定での記録動作の詳細に関して、記録媒体Ｂに対する記録動作を図４のフローチャートに基づいて説明する。なお、記録媒体Ａに対する記録動作も同様であり、記録媒体Ｂへの記録動作と並行しておこなわれる。ただしこの並行処理は、上述したように、それぞれの記憶処理の各ステップが、同一のタイミングで実行されるもののみに限定されず、各記録媒体への記録タイミングが前後しても良い。そして、所定の単位の動画データを、各記録媒体へ時分割的に順番に記録しても良い。
【００４４】
なお、当該同時記録において、記録媒体Ａ、記録媒体Ｂに同時記録される映像データをそれぞれ、映像Ａ１、映像Ｂ１とする。
【００４５】
ステップＳ４０１では、制御部１０１は、記録媒体Ｂ（記録動作中の記憶媒体）の残容量が所定値以下か否かを判定する。所定値以下であれば記録動作を終了し、所定値以下でなければステップＳ４０２へ進む。
【００４６】
ステップＳ４０２では、制御部１０１は、現在の記録動作が記録開始時点のものであるか否かを判定する。現在の記録操作が記録開始時点のものであれば、ステップＳ４０３へ進み、そうでなければ、ステップＳ４０５へ進む。
【００４７】
ステップＳ４０３では、制御部１０１は、映像ＩＤ（仮に、０ｘ０１とする）を生成し、映像ストリームファイルのヘッダ部に記録する。本実施例では、同時記録処理を行っているため、映像Ａ１と映像Ｂ１には、同一の映像ＩＤを付与する。
【００４８】
ステップＳ４０４では、制御部１０１は、現在記録中の映像が同時記録されているということを示すメタデータ（以下、同時記録メタデータとする）を、映像Ａ１と映像Ｂ１の映像ストリームファイルのヘッダ部に記録する。
【００４９】
ステップＳ４０５では、制御部１０１は、現在、記録媒体Ａと記録媒体Ｂで同時記録が継続しているか否かを判定する。制御部１０１は、記録媒体Ａと記録媒体Ｂのそれぞれに記録してきた映像の映像ＩＤが同一である場合、同時記録が継続していると判定してステップＳ４０６へ進み、そうでない場合にはステップＳ４０８へ進む。
【００５０】
ステップＳ４０６では、制御部１０１は、記録媒体Ａ（他の記憶媒体）の残容量が所定値以下になったか否かを判定する。所定値以下であればステップＳ４０７へ進み、そうでなければ、ステップＳ４０８へ進む。
【００５１】
ステップＳ４０７では、制御部１０１は、同時記録停止フラグの値に１を設定する。同時記録停止とは、記録媒体Ａ、または記録媒体Ｂのいずれかの残容量が所定値以下になったとき、同時記録を停止するようにしているので、この同時記録の停止状態を認識するための情報である。ただし、記録媒体Ａへの記録が停止しても、撮影は継続しており、この停止後に継続する撮影により得られた継続動画像データは、記録媒体Ｂ記録される。なお、この継続動画像データ含むストリームは、映像Ｂ１とは別個の映像Ｂ２と呼び、映像ストリームファイルとして記録媒体Ｂに記録される。同時記録停止フラグの値が０のときフラグが無効であるとし、同時記録が実行されている状態であることを示す。一方、このフラグの値が１のときフラグが立っているとし、映像の同時記録を停止する状態となったことを示す。同時記録を開始した時点では、このフラグの値を０（無効）に設定する。
【００５２】
ステップＳ４０８では、制御部１０１は、同時記録停止フラグが立っているか否かを判定する。フラグが立っているとき、ステップＳ４０９へ進み、そうでなければ、ステップＳ４１２へ進む。
【００５３】
ステップＳ４０９では、制御部１０１は、記録媒体Ｂに記録する映像Ｂ２には、これまで同時記録で記録していた映像Ａ、映像Ｂとは異なる映像ＩＤを生成し、映像ストリームファイルのヘッダ部に記録する。
【００５４】
ステップＳ４１０では、制御部１０１は、現在記録中の映像が、同時記録処理の途中で、他方の記録媒体に対する記録を停止したことを示すメタデータ（以下、同時記録停止メタデータとする）を、映像ストリームファイルＢ２のヘッダ部に登録する。なお、Ａ１、Ｂ１にも同様に同時記録停止メタデータを記録しておいても良い。
【００５５】
ステップＳ４１１では、制御部１０１は、同時記録停止フラグの値を０（無効）に設定する。
【００５６】
ステップＳ４１２では、制御部１０１は、撮像部から出力された画像データをＭＰＥＧ２等、所定の圧縮方式でエンコードする。
【００５７】
ステップＳ４１３では、制御部１０１は、ステップＳ４１２においてエンコードした画像データを、所定の保存ルールに従って映像ストリームファイル中に保存する。
【００５８】
また、制御部１０１は、映像データを構成する映像ストリームファイルと管理ファイルを、割り当てた映像ＩＤごとに分けて記録する。これにより、映像ＩＤが異なる映像データをコピーすることにより、個別にバックアップすることが可能となる。
【００５９】
以上が、同時記録設定での記録媒体Ｂに対する記録動作の詳細である（記録媒体Ａに対する記録動作も同様である）。
【００６０】
図４の処理に従って各記録媒体に映像を記録した様子を説明するための概略図を図５（ａ）、図５（ｂ）に示す。帯状の長方形の面積は、各記録媒体の全容量を示している。また、斜線、または点で塗りつぶした領域の面積は、実際に記録した映像が占める容量を示している。
【００６１】
図５（ａ）には、記録媒体Ａと記録媒体Ｂに映像データを同時記録している状況を示す。映像Ａ１と映像Ｂ１には、同一の映像が記録されており、ともに映像ＩＤは０ｘ０１である。
【００６２】
図５（ｂ）には、記録媒体Ａの残容量が不足し、記録媒体Ｂのみ映像の記録を継続している状況を示す。映像Ｂ２は、映像の記録を継続した映像データであり、映像ＩＤは０ｘ０２としている。この映像ＩＤは、図４のフローチャートでは、ステップＳ４０９で生成される。
【００６３】
撮像装置１００は、記録媒体Ａと記録媒体Ｂに記録した映像データの情報を表示部１０６に提示する。このときに提示する画面の例を図６（ａ）、図６（ｂ）に示す。
【００６４】
図６（ａ）において、６０１は、撮像装置１００が検出している記録媒体を示す領域、６０２は、選択された記録媒体内に記録された映像の代表画像のサムネイルを示す領域、６０３は、選択された映像の詳細情報を示す領域を示している。ユーザは、操作部１０５を操作して、６０１、６０２の各領域を選択し、任意の映像の詳細情報を確認できる。また、ユーザは、６０２の領域で選択した映像の映像データをコピー操作することで、６０１の領域に並んでいる別の記録媒体にバックアップすることができる。
【００６５】
図６（ａ）には、６０１で記録媒体Ａのアイコンをユーザが選択して、記録媒体Ａに記録した映像Ａ１のサムネイルを表示した様子を示す。映像Ａ１は同時記録されたので、それを表すアイコンを６０４のように示す。なお、サムネイルを囲む点線の枠は、６０２の領域にある映像の中で、現在映像Ａ１が処理対象として選択中であることを示している。また、６０３に示す詳細情報には、選択中の映像Ａ１の情報を示している。バックアップ「あり」は、映像データに同時記録メタデータが記録されている場合に表示する。
【００６６】
一方、図６（ｂ）には、記録媒体Ｂのアイコンをユーザが選択して、記録媒体Ｂに記録した映像Ｂ１と、映像Ｂ２のサムネイルを表示した様子を示す。映像Ｂ１は、同時記録されたことを表すアイコンを示す。映像Ｂ２には、同時記録を停止したあと、映像の記録を継続したことを示すアイコンを６０５のように示す。詳細情報には、選択中の映像Ｂ２の情報を示す。バックアップ「なし」は、映像データに同時記録停止メタデータが記録されている場合に表示する。
【００６７】
ユーザは、同時記録を停止して記録を継続した映像Ｂ２を、上記の画面で確認する。そして、容量が不足した記録媒体Ａを別の記録媒体Ｃに交換すると、映像Ｂ２を記録媒体Ｃにバックアップするための画面を表示し、ユーザが指示することで映像Ｂ２のバックアップを実行できるようにしている。そして制御部１０１は、ユーザによりバックアップが行われたとき、バックアップ元とバックアップ先の各映像データの同時記録停止メタデータを削除し、同時記録メタデータを記録する。これにより、映像Ｂ２に対しても、同時記録した映像Ａ１や映像Ｂ１のように、映像のバックアップがなされた映像として扱うことができる。
【００６８】
なお、本実施例では、同時記録の際に、一方の記録媒体の残容量が所定値以下になり記録が停止した場合について説明したが、一方の記録媒体に何らかの記録エラーが発生し、記録が停止した場合にも適用可能である。
【００６９】
また、図１（ａ）のブロック構成では、撮像装置１００は外部ＩＦを２つ備えたが、外部ＩＦを３つ以上備え、それぞれの外部ＩＦに対して記録媒体を接続し、同時記録を実施した場合でも本発明が適用可能である。
【００７０】
検出された記録媒体のうち、いずれか１つの記録媒体の残容量が所定以下であると判定したとき、その記録媒体への記録を停止し、残りの記録媒体に対しては、映像ＩＤを変更した同一の映像を記録する。以下に詳細を説明する。
【００７１】
残容量が所定以下となった記録媒体に対しては、図４のフローチャートの動作において、ステップＳ４０１から処理が進まない。そのため、記録は停止することになる。
その他の記録媒体に対しては、ステップＳ４０６では、制御部１０１は、現在同時記録しているいずれか１つの記録媒体の残容量が所定以下になったとき、ステップＳ４０７に進むようにする。
【００７２】
ステップＳ４１０では、現在映像を記録している記録媒体が他に存在しない場合のみ、同時記録停止メタデータを記録するようにする。
【００７３】
これにより、撮像装置１００は、いずれかの記録媒体の残容量が所定以下になるたびにその記録媒体への記録を停止し、映像ＩＤを変更して他の記録媒体への記録を継続することができる。また、バックアップがない映像データのみに、同時記録停止メタデータを付与する。そのため、ユーザは、撮影後にこのメタデータを参考にしてバックアップの処理対象である映像データを判別することができる。
【００７４】
また、本実施例では、同時記録した映像（映像Ａ１、映像Ｂ１）と、記録を継続した映像Ｂ２が、それぞれ連続する動画像であることを示す情報を付与してもよい。
【００７５】
例えば、図４のフローチャートのＳ４１０において、制御部１０１は、同時記録が停止する映像Ａ１や映像Ｂ１の映像ＩＤを、記録を継続する映像Ｂ２の映像ストリームファイルのヘッダ部に記録する。これにより、ユーザは撮影後に、映像Ｂ２の上記情報を参照し、動画として関連する映像Ａ１や映像Ｂ１を特定することができる。また映像Ａ１、Ｂ１のそれぞれに、継続動画像データの存在を認識できるように、映像Ｂ２の示す情報を記録しても良い。
【００７６】
また、本実施例では、映像ＩＤや同時記録メタデータなどを映像ストリームファイルのヘッダ部に記録する方法を説明したが、これらを別の管理ファイルに記録しても良い。
【００７７】
また、本実施例の同時記録時に、記録媒体Ａへの記録が停止した際に、映像記録Ｂへの記録も停止したいユーザを考慮し、記録媒体Ａへの記録が停止した場合に、記録媒体Ｂへの記録も停止するか否かを、撮影開始前にユーザに設定させるようにしてもよい。上記設定は、ユーザが操作部１０５を操作し、表示部１０６にメニュー画面を表示させて行う。
【００７８】
また、本実施例において、記録媒体Ａの残容量が所定値以下になった場合に、図７（ａ）のように、表示部１０６の画面にダイアログ７０１を表示し、映像記録を継続するか否かをユーザに選択させてもよい。なお、図７（ａ）の７０２、７０３、７０４はそれぞれ、記録媒体Ａの残容量、記録媒体Ｂの残容量、同時記録可能時間である。ここで、ダイアログ７０１において「継続」ボタンが押下された場合には、表示部１０６の画面上の残容量表示７０２、７０３、７０４を、例えば図７（ｂ）のように変更する。これにより、現在、記録媒体Ａ、記録媒体Ｂへの同時記録を中断し、記録媒体Ｂにのみ映像を継続記録中であることをユーザに通知できる。
【００７９】
このように、本発明によれば、同時記録中、少なくとも１つの記録媒体への映像記録が終了した時に他の記録媒体へ継続して映像を記録する場合、２重化できていない記録継続した映像を特定し、その映像をバックアップすることができる。
【００８０】
（実施例２）
以下に、添付図面に従って本発明にかかる実施例２の実施形態の詳細について説明する。
【００８１】
実施例２では、実施例１でバックアップ可能な映像として記録した映像を、容量に余裕がある記録媒体に自動的にバックアップする撮像装置の例を説明する。
本発明の実施例２における撮像装置の内部構成は、実施例１で説明した内部構成と同一である。
【００８２】
実施例２の撮像装置の動作を、図８のフローチャートに基づいて説明する。
【００８３】
ステップＳ８０１では、制御部１０１は、外部ＩＦ１０７や外部ＩＦ１０８を介して、セットされた記録媒体が更新されたことを検出する。記録媒体の更新があったとき、ステップＳ８０２に進む。
【００８４】
ステップＳ８０２では、制御部１０１は、更新した記録媒体に記録されたすべての映像データのメタデータを取得する。
【００８５】
ステップＳ８０３では、制御部１０１は、ステップＳ８０２で取得したそれぞれの映像データのメタデータを参照し、同時記録停止メタデータが記録されているか否かを判定する。該当するメタデータが記録されている場合、ステップＳ８０４に進み、そうでなければ、ステップＳ８０１に戻る。
【００８６】
ステップＳ８０４では、制御部１０１は、同時記録停止メタデータが記録された映像データのサイズを算出する。
【００８７】
ステップＳ８０５では、制御部１０１は、外部ＩＦ１０７や外部ＩＦ１０８を介して現在検出中の他の記録媒体に対して、残容量を取得し、その残容量が、ステップＳ８０４で算出した映像データのサイズ以上であるかどうかを判定する。前記映像データのサイズ以上である記録媒体が存在したならば、ステップＳ８０６に進み、そうでなければ、ステップＳ８０１に戻る。ステップＳ８０６では、制御部１０１は、ステップＳ８０３で特定した映像データを、ステップＳ８０５で特定した記録媒体へバックアップする。
【００８８】
ステップＳ８０７では、制御部１０１は、バックアップ元とバックアップ先の各映像データの同時記録停止メタデータを削除し、同時記録メタデータを記録する。
【００８９】
上記の動作を撮像装置に適用し、例えば図５（ｂ）のように映像が記録された記録媒体ＢをＩＦ１０８にセットしている状況で、ユーザは、残容量に余裕がある記録媒体ＣをＩＦ１０７にセットすることにより、映像Ｂ２を簡単にバックアップすることができる。
【００９０】
なお、本実施例では、同時記録が停止した映像のみバックアップをする方法について説明したが、これを、同時記録した映像を含んでまとめてバックアップするようにしてもよい。具体的には、同時記録が停止した映像Ｂ２と、映像ＩＤが連続する映像Ｂ１を特定し、その両方の映像のデータ総サイズを算出する。そして、算出したサイズ分の残容量を持つ記録媒体を検出したとき、その記録媒体へバックアップを実行する。
【００９１】
これにより、１つの記録媒体に、連続する映像（映像Ｂ１と映像Ｂ２）をまとめて管理でき、管理が容易になる。
【００９２】
また、本実施例では、図８のステップＳ８０６において、ただちにバックアップを実行する動作について説明した。これに対して、この動作の前に、表示部１０６の画面にバックアップを実行するか否かをユーザ選択させるダイアログを提示し、ユーザの選択した結果に応じて、バックアップを実行するかどうかを決定しても良い。
【００９３】
このように、本発明によれば、実施例１でバックアップ可能な映像として記録した映像を、容量に余裕がある記録媒体に自動的にバックアップすることができる。
【００９４】
（実施例３）
以下に、添付図面に従って本発明にかかる実施例３の実施形態の詳細について説明する。
【００９５】
実施例３では、同時記録を停止して映像の記録を継続している間に新たにセットされた記録媒体を検出し、その記録媒体に対して同時記録を再開する撮像装置の例を説明する。
本発明の実施例３における撮像装置の内部構成は、実施例１で説明した内部構成と同一である。
【００９６】
実施例３の撮像装置の動作を、以下に説明する。
【００９７】
実施例１で説明したように、記録媒体Ｂに対して継続して映像Ｂ２を記録している間に、ユーザが、新たに記録媒体Ｃを、記録媒体Ａの代わりに外部ＩＦ１０９にセットし直したとする。このとき、検出されている記録媒体Ｃに対して、図４で示したフローチャートの動作に従って、以下のような動作が実行される。
【００９８】
ステップＳ４０１では、制御部１０１は、残容量が所定以下でないと判定し、Ｓ４０２へ進む。
【００９９】
ステップＳ４０２では、制御部１０１は、現在の記録動作が記録開始時点のものであると判定し、ステップＳ４０３へ進む。
【０１００】
ステップＳ４０３では、制御部１０１は、映像ＩＤ（仮に、０ｘ０３とする）を生成し、映像ストリームファイルのヘッダ部に記録する。ここで生成する映像ＩＤは、これまで記録媒体Ｂで記録してきた映像Ｂ２の映像ＩＤ（０ｘ０２）とは異なるように設定する。
【０１０１】
一方、記録媒体Ｂに対しては、図４で示したフローチャートの動作に従って、以下のような動作が実行される。
【０１０２】
ステップＳ４０２では、記録媒体Ｃへの映像データの記録が開始したことを受けて、制御部１０１は、現在の記録動作が記録開始時点のものであると判定する。
【０１０３】
ステップＳ４０３の処理では、制御部１０１は、記録媒体Ｃに記録する映像と同一の映像ＩＤを付与する。
【０１０４】
上記で説明した以外の動作は、実施例１で説明した処理に従うものとする。
【０１０５】
図９は、上記のように撮像装置１００が動作したとき、記録媒体Ｂと記録媒体Ｃに対して映像Ｂ３を同時記録したことを示した図である。図中の長方形で示した各領域は、図５で説明した内容と同様である。
【０１０６】
映像Ｂ３は、同一の映像ＩＤ（０ｘ０３）が割り当てられており、記録媒体Ｂと記録媒体Ｃの両方に同時記録された映像を示している。
【０１０７】
このように、本発明によれば、同時記録を停止して映像の記録を継続している間に新たに検出した記録媒体に対して、同時記録を再開することができる。
【符号の説明】
【０１０８】
１００  撮像装置
１０１  制御部
１０２  撮像部
１０３  ＲＯＭ
１０４  ＲＡＭ
１０５  操作部
１０６  表示部
１０７  外部ＩＦ
１０８  外部ＩＦ
１０９  記録媒体Ａ
１１０  記録媒体Ｂ
１１１  内部バス
【図１】
2014110508.tif 000003
【図２】
2014110508.tif 000004
【図３】
2014110508.tif 000005
【図４】
2014110508.tif 000006
【図５】
2014110508.tif 000007
【図６】
2014110508.tif 000008
【図７】
2014110508.tif 000009
【図８】
2014110508.tif 000010
【図９】
2014110508.tif 000011